(57)【要約】【課題】折畳みを開いた際に、少ない操作で所望の機能を動作させる。【解決手段】折畳みを開いた際、不在着信履歴が記憶されているか否かを調べ（ステップＳ１０２）、不在着信履歴が１つ記憶されていれば、その１つの不在着信に係わる詳細な情報を表示部に表示させ（ステップＳ１０３）、所定の操作があると（ステップＳ１０４の「あり」）、発呼と、通話とをさせる（ステップＳ１０５）。複数の不在着信履歴が記憶されていれば、その複数の不在着信の一覧表示（ステップＳ１０７）と、一覧表示された中から１つの選択（ステップＳ１０８）を経て、ステップＳ１０３以降の動作に移る。【選択図】図８
2010087916.tif 000002
【特許請求の範囲】
【請求項１】
複数の筐体が開閉自在に結合されてなり、
前記複数の筐体が開状態にあるか閉状態にあるかを検出する開閉検出手段と、
入力手段と、
前記複数の筐体のいずれか一方の筐体の内面に設けられた表示手段と、
通話通信手段と、
不在着信履歴記憶手段と、
前記通話通信手段によって通話着信信号が受信され、その受信された通話着信信号に対する応答操作が前記入力手段からされない場合、その通話着信信号に係る発信元通信装置を識別する情報を前記不在着信履歴記憶手段に記憶させる不在着信処理手段と、
前記開閉検出手段によって前記複数の筐体が開状態にあると検出された際、前記不在着信履歴記憶手段に記憶された発信元通信装置を識別する情報を前記表示手段に表示させ、その表示された識別する情報を前記不在着信履歴記憶手段から削除させ、前記入力手段から所定の発呼操作がされた場合、前記通話通信手段を制御して、その表示された識別する情報で識別される発信元通信装置へ発呼させる筐体開時制御手段と
を有することを特徴とする通信装置。
【請求項２】
前記筐体開時制御手段は、前記不在着信履歴記憶手段に記憶された発信元通信装置を識別する情報が複数である場合、それらの複数の発信元通信装置を識別する情報を前記表示手段に一覧表示させ、その一覧表示された識別する情報の中の１つを前記入力手段の所定の選択操作によって選択し、その選択された識別する情報を前記不在着信履歴記憶手段から削除させ、前記入力手段から所定の発呼操作がされた場合、前記通話通信手段を制御して、その選択された識別する情報で識別される発信元通信装置へ発呼させる
ことを特徴とする請求項１に記載の通信装置。
【請求項３】
前記筐体開時制御手段は、前記不在着信履歴記憶手段に記憶された発信元通信装置を識別する情報が複数であり、かつ、それら複数の情報が同じ情報である場合、前記不在着信履歴記憶手段に記憶された発信元通信装置を識別する情報を前記表示手段に表示させ、それら複数の識別する情報を前記不在着信履歴記憶手段から削除させ、前記入力手段から所定の発呼操作がされた場合、前記通話通信手段を制御して、その表示された識別する情報で識別される発信元通信装置へ発呼させる
ことを特徴とする請求項２に記載の通信装置。
【請求項４】
前記所定の発呼操作は、１回の操作である
ことを特徴とする請求項１に記載の通信装置。
【請求項５】
複数の筐体が開閉自在に結合されてなり、
前記複数の筐体が開状態にあるか閉状態にあるかを検出する開閉検出手段と、
入力手段と、
前記複数の筐体のいずれか一方の筐体の内面に設けられた表示手段と、
スピーカと、
通話通信手段と、
自動着信履歴記憶手段と、
伝言メモ記憶手段と、
前記通話通信手段によって通話着信信号が受信され、その受信された通話着信信号に対する応答操作が前記入力手段から所定の時間に渡ってされない場合、その通話着信信号に係る発信元通信装置を識別する情報を前記自動着信履歴記憶手段に記憶させ、その通話着信信号に応答して、その通話着信信号に係る発信元通信装置から送信された音声信号を前記伝言メモ記憶手段に記憶させる伝言メモ処理手段と、
前記伝言メモ記憶手段に記憶された音声信号を前記スピーカから出力させる伝言メモ再生手段と、
前記開閉検出手段によって前記複数の筐体が開状態にあると検出された際、前記自動着信履歴記憶手段に記憶された発信元通信装置を識別する情報を前記表示手段に表示させ、その表示された識別する情報を前記自動着信履歴記憶手段から削除させ、前記入力手段から所定の再生操作がされた場合、前記伝言メモ再生手段を制御して、その表示された識別する情報で識別される発信元通信装置から送信された音声信号を前記スピーカから出力させる筐体開時制御手段と
を有することを特徴とする通信装置。
【請求項６】
複数の筐体が開閉自在に結合されてなり、
前記複数の筐体が開状態にあるか閉状態にあるかを検出する開閉検出手段と、
入力手段と、
前記複数の筐体のいずれか一方の筐体の内面に設けられた表示手段と、
電子メール通信手段と、
電子メール受信履歴記憶手段と、
電子メール記憶手段と、
前記電子メール通信手段によって電子メール着信信号が受信された場合、その受信された電子メール着信信号に対応する電子メールを受信し、その受信された電子メールを識別する情報を前記電子メール受信履歴記憶手段に記憶させ、その受信された電子メールを前記電子メール記憶手段に記憶させる電子メール受信手段と、
前記電子メール記憶手段に記憶された電子メールを前記表示手段に表示させる電子メール表示制御手段と、
前記開閉検出手段によって前記複数の筐体が開状態にあると検出された際、前記電子メール受信履歴記憶手段に記憶された電子メールを識別する情報を前記表示手段に表示させ、その表示された識別する情報を前記電子メール受信履歴記憶手段から削除させ、前記入力手段から所定の電子メール表示操作がされた場合、前記電子メール表示制御手段を制御して、その表示された識別する情報で識別される電子メールを前記表示手段に表示させる筐体開時制御手段と
を有することを特徴とする通信装置。
【請求項７】
前記筐体開時制御手段は、前記開閉検出手段によって前記複数の筐体が開状態にあると検出された際、前記不在着信履歴記憶手段に発信元通信装置を識別する情報が記憶されていない、前記自動着信履歴記憶手段に発信元通信装置を識別する情報が記憶されていない、又は、前記電子メール受信履歴記憶手段に電子メールを識別する情報が記憶されていない場合、所定の機能を識別する情報を前記表示手段に表示させ、前記入力手段から所定の機能動作操作がされた場合、その所定の機能を動作させる
ことを特徴とする請求項１、請求項５又は請求項６に記載の通信装置。
【請求項８】
前記筐体開時制御手段は、前記開閉検出手段によって前記複数の筐体が開状態にあると検出された際、前記不在着信履歴記憶手段に記憶された発信元通信装置を識別する情報、前記自動着信履歴記憶手段に記憶された発信元通信装置を識別する情報、又は、前記電子メール受信履歴記憶手段に記憶された電子メールを識別する情報に続けて所定の機能を識別する情報を前記表示手段に表示させ、前記入力手段から所定の機能動作操作がされた場合、その所定の機能を動作させる
ことを特徴とする請求項１、請求項５又は請求項６に記載の通信装置。
【発明の詳細な説明】
【技術分野】
【０００１】
本発明は、通信装置に係り、特に、折畳み型の通信装置において、折畳みを開いた際の動作に関する。
【背景技術】
【０００２】
折畳み型の通信装置、例えば、折畳み型の移動通信装置において、表示部と、キーからなる入力装置とは、折畳みを開いた際に、それぞれ視認可能であり、操作可能であるように設置される。
【０００３】
即ち、折畳みを閉じた際にも視認可能な副となる表示部と、操作可能な少数のサイドキーとを備えた移動通信装置もあるものの、通話を含む、多くの機能を動作させる際、折畳みを開き、主となる表示部を視認し、テンキーを含む多くのキーを操作することが通常の使い方である。そして、折畳みを開いた際、表示部には、多くの場合待ち受け画面が表示される。
【０００４】
折畳みを開いた際に、少ない操作で、また、短時間で所望の機能を動作させることが望まれる。所望の機能の１つは、折畳みが閉じられていた間に、通話着信信号が受信され、その着信に対する応答操作がされないまま、その着信信号に係る送信元の通信装置が発呼操作を終了した場合（この着信を、以後、不在着信と称する。）、この不在着信に係る情報、例えば、不在着信があったこと、更に、その不在着信の発信元の通信装置に係る情報、具体的には、その装置の電話番号等を表示部に表示させることである。
【０００５】
また、所望の機能の他の１つは、折畳みが閉じられていた間に、電子メールが受信された結果、折畳みを開いた際に、受信され、かつ、未読の電子メールが存在する場合、この未読の電子メールに係る情報、例えば、未読の電子メールがあること、更に、その電子メールの送信元の電子メールアドレスなどを表示部に表示させることである。
【０００６】
そこで、折畳みを開いた際、不在着信が存在する場合、自動的にその着信に係る情報を表示部に表示させ、また、未読の電子メールが存在する場合、自動的にその電子メールに係る情報を表示部に表示させることが知られている（例えば、特許文献１参照。）。
【特許文献１】特開２００２−２８１１３１号公報（第２頁、図４）
【発明の開示】
【発明が解決しようとする課題】
【０００７】
しかしながら、上述した特許文献１に開示されている方法では、折畳みを開いた際に、不在着信に係る情報と、未読の電子メールに係る情報とが表示されるものの、その際に所望の機能を少ない操作で動作させることが考慮されていない問題点があった。所望の機能は、例えば、不在着信の発信元への発信機能や、未読の電子メールの表示機能に限らず、装置の使用者が設定した機能である。
【０００８】
本発明は、上記問題点を解決するためになされたもので、折畳みを開いた際に、少ない操作で所望の機能を動作させることが可能な通信装置を提供することを目的とする。
【課題を解決するための手段】
【０００９】
上記目的を達成するために、本発明の通信装置は、複数の筐体が開閉自在に結合されてなり、前記複数の筐体が開状態にあるか閉状態にあるかを検出する開閉検出手段と、入力手段と、前記複数の筐体のいずれか一方の筐体の内面に設けられた表示手段と、通話通信手段と、不在着信履歴記憶手段と、前記通話通信手段によって通話着信信号が受信され、その受信された通話着信信号に対する応答操作が前記入力手段からされない場合、その通話着信信号に係る発信元通信装置を識別する情報を前記不在着信履歴記憶手段に記憶させる不在着信処理手段と、前記開閉検出手段によって前記複数の筐体が開状態にあると検出された際、前記不在着信履歴記憶手段に記憶された発信元通信装置を識別する情報を前記表示手段に表示させ、その表示された識別する情報を前記不在着信履歴記憶手段から削除させ、前記入力手段から所定の発呼操作がされた場合、前記通話通信手段を制御して、その表示された識別する情報で識別される発信元通信装置へ発呼させる筐体開時制御手段とを有することを特徴とする。
【発明の効果】
【００１０】
本発明によれば、折畳みを開いた際に、少ない操作で所望の機能を動作させることが可能な通信装置を提供することができる。
【発明を実施するための最良の形態】
【００１１】
以下に、本発明による通信装置の実施の形態を、図面を参照して説明する。図１は、本発明の実施形態に係る開閉自在の折畳み型移動通信装置の、上下筐体の折畳みを開いた時の外観を示し、図１（ａ）は正面図、即ち、前面図を、図１（ｂ）は側面図を示す。
【００１２】
この移動通信装置は、上筐体ＭＳ１と下筐体ＭＳ２とが、ヒンジ部ＭＳ３によって軸Ａ−Ａを中心に回動自在に連結されてなることによって、上下筐体ＭＳ１、ＭＳ２の角度がほぼ０度（閉状態）からほぼ１８０度（開状態）の間で開閉自在に構成されている。上筐体ＭＳ１の内面には、受話に用いられるスピーカ１４ａと、使用者に操作を促す表示や、使用者が操作した内容の表示や、カーソル位置や、装置の動作状態の表示などに用いられるバックライト付きのＬＣＤ（Liquid Crystal Display）からなる表示部１５とが設置されている。
【００１３】
また、下筐体ＭＳ２の内面には、送話に用いられるマイクロフォン１４ｂが設置されている。下筐体ＭＳ２の内面には、キーパッドからなる入力装置１６が設けられている。また、下筐体ＭＳ２の内部には、電波の送受に用いられるアンテナが設置されている。
【００１４】
入力装置１６は、下筐体ＭＳ２の内面に設置され、各機能での確定や選択を指示するために用いられる決定キー１６ａと、決定キー１６ａに隣接して決定キー１６ａを取り囲んで設置され、決定キー１６ａの上、下、左、及び、右方向に位置する４つのキーからなり、表示部１５上のカーソル位置の移動指示などに用いられる十字選択キー１６ｂとを含む。
【００１５】
更に、入力装置１６は、下筐体ＭＳ２の内面に設置され、英数字や文字、記号の入力などに用いられる数字キーと、移動通信装置の電源の投入及び切断などの動作指示の入力に用いられる複数の機能キーとを含んでいる。
【００１６】
また、ヒンジ部ＭＳ３には、上下筐体ＭＳ１、ＭＳ２が開状態にあるか、又は、閉状態にあるかを検出する第１の開閉検出部（図示せず）が設置されて、その第１の開閉検出部から開閉信号が出力されている。
【００１７】
なお、上下筐体ＭＳ１、ＭＳ２が開状態にあるか、又は、閉状態にあるかを検出するために、上筐体ＭＳ１の上部の内部（ヒンジ部ＭＳ３から遠い部分）に第１の磁石ＭＳ４ａを埋め込み、下筐体ＭＳ２の下部の内部（ヒンジ部ＭＳ３から遠い部分）に第２の磁石ＭＳ４ｂを埋め込む。そして、閉状態にある場合、これらの第１、第２の磁石ＭＳ４ａ、ＭＳ４ｂの間の距離が小さいように配置してある。
【００１８】
そのため、閉状態にある場合、これらの第１、第２の磁石ＭＳ４ａ、ＭＳ４ｂ間に働く磁力によって状態を検出する第２の開閉検出部（図示せず）を設置し、その第２の開閉検出部から開閉信号が出力されるとしても良い。また、第１の開閉検出部から出力される開閉信号と、第２の開閉検出部から出力される開閉信号とを用いて上下筐体ＭＳ１、ＭＳ２が開状態にあるか、又は、閉状態にあるかを検出しても良い。
【００１９】
図２は、この移動通信装置の上筐体ＭＳ１をヒンジ部ＭＳ３によって回動させ、下筐体ＭＳ２に近づけて折畳みを閉じた時の外観を示し、図２（ａ）は正面図、即ち、前面図を、図２（ｂ）は側面図を示す。折畳みが閉じられた状態では、表示部１５は、折畳みの内側にあるため、使用者は、表示部１５に行われた表示を視認することができない。また、入力装置１６のキーは、操作できない。
【００２０】
図３は、本発明の実施形態に係わる移動通信装置の構成を示すブロック図である。この移動通信装置は、移動通信網（図示せず）を介した通信を行う通信装置であり、開閉信号ＭＳ３ａが入力され、装置全体の制御を行う制御部１１と、基地局（図示せず）との間で電波の送受を行うアンテナ１２ａと、通信部１２ｂと、送受信部１３と、受話音声発生用のスピーカ１４ａと、送話音声入力用のマイクロフォン１４ｂと、通話部１４ｃと、表示部１５と、入力装置１６とを備える。
【００２１】
この移動通信装置は、更に、開遷移時機能制御部２１と、動作履歴情報記憶部２２と、伝言メモ処理部２３と、電子メール送受信部２４と、放送受信部２５と、測位部２６とを備える。動作履歴情報記憶部２２には、不在着信履歴２２ａと、伝言メモ履歴２２ｂと、電子メール受信履歴２２ｃと、使用者依存動作２２ｄとが記憶される。
【００２２】
なお、放送受信部２５と、測位部２６とは、この移動通信装置が備える処理部として例示したものであり、この移動通信装置は、これらの処理部を備えなくとも良い。また、これら以外の処理部を備えても良い。
【００２３】
上記のように構成された、本発明の実施形態に係る移動通信装置の各部の動作を、図３を参照して説明する。制御部１１は、電話番号を指定して、入力装置１６から所定の操作がされた場合、送受信部１３を制御して、その電話番号へ発呼する。その発呼に対し、呼が接続されると、送受信部１３を制御して通話をさせる。
【００２４】
また、制御部１１は、通話着信信号が受信されると、その信号が受信されたことを着信報知用スピーカ（図示せず）から所定の音声を出力させて報知する。そして、入力装置１６から所定の応答操作がされた場合、その通話着信信号に応答し、送受信部１３を制御して通話をさせる。
【００２５】
更に、制御部１１は、不在着信が発生した場合、その不在着信に係る情報を不在着信履歴２２ａとして動作履歴情報記憶部２２に記憶させる。また、伝言メモ処理部２３を動作させた場合、伝言メモ処理部２３の動作に係る情報を伝言メモ履歴２２ｂとして動作履歴情報記憶部２２に記憶させる。更に、電子メール送受信部２４を動作させて電子メールを受信させた場合、電子メール送受信部２４の動作に係る情報を電子メール受信履歴２２ｃとして動作履歴情報記憶部２２に記憶させる。
【００２６】
制御部１１は、入力装置１６の所定のキー操作によって、装置の処理部の１つを記憶させる設定がされた場合、その処理部を使用者依存動作２２ｄに記憶させる。また、使用者の指定によって動作させた処理部を使用者依存動作２２ｄに記憶させる。
【００２７】
また、制御部１１は、動作履歴情報記憶部２２に不在着信履歴２２ａとして記憶された不在着信を識別する情報を表示部１５に表示させる。そして、その表示された識別する情報に係る不在着信履歴２２ａを動作履歴情報記憶部２２から削除させる。また、その表示された識別する情報に係る不在着信に係る発呼を行なった通信装置へ発呼する。
【００２８】
通信部１２ｂは、アンテナ１２ａによって受信された高周波信号を送受信部１３へ出力し、また、送受信部１３から出力された高周波信号をアンテナ１２ａより送信する。
【００２９】
送受信部１３は、通信部１２ｂからの高周波信号を増幅、周波数変換及び復調し、それによってデジタル信号を得て、得られた通話音声信号を通話部１４ｃに、着信信号を含む制御信号を制御部１１に、受信された電子メールを電子メール送受信部２４に送る。
【００３０】
更には、送受信部１３は、デジタル信号、即ち、通話部１４ｃから出力された通話音声信号、制御部１１から出力された制御信号、及び電子メール送受信部２４から出力された送信される電子メールを変調、周波数変換及び増幅し、高周波信号を得て、それを通信部１２ｂに送って送信させる。
【００３１】
通話部１４ｃは、送受信部１３から出力されたデジタル音声信号をアナログ音声信号に変換し、それを増幅してスピーカ１４ａに送る。また、マイクロフォン１４ｂから出力されたアナログ音声信号を増幅し、それをデジタル音声信号に変換して送受信部１３に送信する。
【００３２】
表示部１５は、例えば、ＬＣＤであり、制御部１１に制御されることで、上下筐体ＭＳ１、ＭＳ２が開状態にある場合、文字・数字や映像データの表示動作を行い、表示されているデータは、入力装置１６からの入力操作や着信信号に応答して制御部１１からの指示を受けることで切換わる。
【００３３】
入力装置１６は、通信相手の電話番号などを指定するため、また、送信される電子メールを作成するための数字キーと複数の機能キーを含むキーからなる。そして、入力装置１６のキーが操作されると、そのキーの識別子が制御部１１に通知され、制御部１１によって、表示部１５に文字として表示され、又は、制御が行われる。
【００３４】
開遷移時機能制御部２１は、制御部１１に制御されて動作を開始し、動作履歴情報記憶部２２に記憶された情報、即ち、不在着信履歴２２ａ、伝言メモ履歴２２ｂ、電子メール受信履歴２２ｃ及び使用者依存動作２２ｄの中の１つ、又は、複数の情報を表示部１５に表示させる。そして、入力装置１６の所定のキー操作に従って、その表示によって識別される情報に従った動作をさせ、また、その表示によって識別される機能を動作させる。なお、制御部１１は、装置が閉状態から開状態に変化したことが開閉信号ＭＳ３ａによって明らかになった際、開遷移時機能制御部２１を起動する。
【００３５】
伝言メモ処理部２３は、通話着信信号が受信された際、制御部１１からの指示によって動作を開始する。そして、上記着信信号に応答し、伝言メモ処理部２３内に記憶された所定のメッセージを送話音声として送受信部１３に送信させる。なお、制御部１１は、通話着信信号が受信された後、所定の時間に渡って入力装置１６の所定のキー操作による応答操作がされない場合、伝言メモ処理部２３を起動する。
【００３６】
次に、伝言メモ処理部２３は、伝言メモ、即ち、送受信部１３によって受信された受話音声と、制御部１１から通知された上記着信信号が受信された時刻と、上記着信信号に係る発呼を行なった通信装置の電話番号とを関連付けて伝言メモ処理部２３内に記憶する。なお、この着信信号が受信された時刻は、記憶された伝言メモを一意に識別するために用いられる。
【００３７】
また、伝言メモ処理部２３は、入力装置１６の所定のキーが操作されることに基づく制御部１１からの指示によって、伝言メモ処理部２３内に記憶された伝言メモの一覧、例えば、上記着信信号が受信された時刻と、上記着信信号に係る発呼を行なった通信装置の電話番号との一覧を表示部１５に送って表示させる。そして、入力装置１６の所定のキー操作によって、その一覧表示された伝言メモの中の１つを選択し、選択された伝言メモを通話部１４ｃを介してスピーカ１４ａに送って音声を発生させる。この動作によって、使用者は、伝言メモを聞くことができる。
【００３８】
更に、伝言メモ処理部２３は、開遷移時機能制御部２１からの指示によって、指定された伝言メモの一覧を表示部１５に送って表示させる。この指定は、１つ、又は、複数の伝言メモに係る着信信号が受信された時刻によって示される。又は、この指定によって、全ての伝言メモである旨が示される。
【００３９】
そして、入力装置１６の所定のキー操作によって、その一覧表示された伝言メモの中の１つを選択し、選択された伝言メモを、通話部１４ｃを介してスピーカ１４ａに送って音声を発生させる。なお、指定された伝言メモが１つの場合、伝言メモ処理部２３は、指定された伝言メモの一覧表示を省き、その伝言メモの音声を発生させても良い。
【００４０】
制御部１１からの指示によったか、開遷移時機能制御部２１からの指示によったかを問わず、伝言メモ処理部２３は、スピーカ１４ａに送って音声を発生させた伝言メモに係る伝言メモ履歴２２ｂを動作履歴情報記憶部２２から削除させる。
【００４１】
電子メール送受信部２４は、電子メールの送受信を行う処理部であり、使用者が入力装置１６の所定のキーを操作することにより、制御部１１からの指示によって、電子メールの送信動作を開始する。
【００４２】
電子メール送受信部２４は、続いて、入力装置１６から送信されたキーの識別子に従って、電子メールの宛先メールアドレスと、件名（Subject）と、本文とからなる電子メール（送信メール）を作成する。そして、作成された送信メールを送受信部１３に送信させる。この送信メールは、通信部１２ｂ、アンテナ１２ａ、基地局を介してメールサーバ装置（図示せず）に送信される。
【００４３】
また、電子メール送受信部２４は、電子メール着信信号が受信されることにより、制御部１１からの指示によって、メールサーバ装置から送信され、送受信部１３によって受信された電子メール（受信メール）を受信する。そして、受信された受信メールを、そのメールが受信された時刻と関連付けて、電子メール送受信部２４内に記憶して、動作を終了する。このメールが受信された時刻は、受信された受信メールを一意に識別するために用いられる。
【００４４】
この受信メールが受信された時刻によって、受信メールは、一意に識別可能であるとする。識別不可能である場合、電子メール送受信部２４は、更に、受信メールを一意に識別可能な識別情報を電子メール送受信部２４内に記憶する。受信メールには、少なくともこのメールの送信元メールアドレスと、件名と、本文とを含む。
【００４５】
また、電子メール送受信部２４は、入力装置１６の所定のキーが操作されることに基づく制御部１１からの指示によって、電子メール送受信部２４内に記憶された受信メールの一覧、例えば、受信メールが受信された時刻と、そのメールの送信元メールアドレスとの一覧を表示部１５に送って表示させる。そして、入力装置１６の所定のキー操作によって、その受信メールの中の１つを選択し、選択された受信メールの詳細、例えば、本文を表示部１５に送って表示させる。この動作によって、使用者は、受信メールを読むことができる。
【００４６】
更に、電子メール送受信部２４は、開遷移時機能制御部２１からの指示によって、指定された受信メールの一覧を表示部１５に送って表示させる。この指定は、１つ、又は、複数の受信メールが受信された時刻によって示される。そして、入力装置１６の所定のキー操作によって、その一覧表示された受信メールの中の１つを選択し、選択された受信メールを表示部１５に送って表示させる。
【００４７】
この動作によって、使用者は、受信メールを読むことができる。なお、指定された受信メールが１つの場合、電子メール送受信部２４は、指定された受信メールの一覧表示を省き、その受信メールを表示部１５に送って表示させても良い。
【００４８】
制御部１１からの指示によったか、開遷移時機能制御部２１からの指示によったかを問わず、電子メール送受信部２４は、表示部１５に送って詳細を表示させた受信メールに係る電子メール受信履歴２２ｃを動作履歴情報記憶部２２から削除させる。
【００４９】
放送受信部２５は、制御部１１からの指示に従って、デジタルテレビ放送の受信を開始し、また、終了する処理部である。放送受信部２５は、放送受信部２５内に設けられたアンテナによって受信された高周波放送信号の中から、所定のチャンネルの高周波信号を選択する。そして、選択された高周波信号を中間周波数の信号に変換し、変換された信号を復調することによって、符号化されたテレビ放送コンテンツを得る。ここで、テレビ放送コンテンツは、ＭＰＥＧ方式によって符号化された信号であるが、この方式によって符号化された信号に限るものではない。
【００５０】
放送受信部２５は、得られたテレビ放送コンテンツを復号し、復号された映像信号を表示部１５に表示させる。また、復号された音声信号を放送音声発生用のスピーカ（図示せず）から発生させる。また、テレビ放送コンテンツに文字情報が含まれている場合、その文字を表示部１５に表示させる。
【００５１】
測位部２６は、測位する処理部、即ち、装置が位置する緯度、経度及び高度（海面からの高さ。）を測定して、測定結果を表示部１５に表示させる処理部であり、制御部１１からの指示によって動作を開始する。そして、複数のＧＰＳ（Global Positioning System）衛星から送信された電波を受信して、電波が受信された時刻と、衛星の軌道とから測位する。
【００５２】
ここで、測位部２６は、測定結果を表示部１５に表示させる際、地図サーバ装置（図示せず）から送信された地図であって、測定された緯度及び経度の地点を含む地図を、表示部１５に表示させ、その地図に重ねて、測定された緯度及び経度にあたる地点に所定の記号を表示させても良い。
【００５３】
以下、本発明の実施形態に係わる移動通信装置の開遷移時機能制御部２１による、装置が閉状態から開状態に変化した際、装置の使用者の所望の機能を、装置の使用者が容易に動作させることを可能にする処理を説明する。
【００５４】
図４は、動作履歴情報記憶部２２に記憶される不在着信履歴２２ａの構成の一例を示す。この不在着信履歴２２ａは、日時２２ｅと、発信元電話番号２２ｆとが関連付けられた情報からなる。なお、図４では、日時２２ｅと、発信元電話番号２２ｆとが連続して記憶され、かつ、関連付けられた情報が連続して記憶されるように図示したが、これは理解を容易にするためであって、これに限るものではない。
【００５５】
日時２２ｅは、不在着信履歴２２ａに係る不在着信となった着信信号が受信された時刻を示す。発信元電話番号２２ｆは、日時２２ｅによって識別される不在着信履歴２２ａに係る着信信号の契機となる発呼を行なった通信装置の電話番号である。発信元電話番号２２ｆには、電話番号が記憶されず、「非通知」又は「公衆電話」などの情報が記憶されることがある。
【００５６】
図５は、動作履歴情報記憶部２２に記憶される伝言メモ履歴２２ｂの構成の一例を示す。この伝言メモ履歴２２ｂは、日時２２ｇと、発信元電話番号２２ｈとが関連付けられた情報からなる。なお、図５では、日時２２ｇと、発信元電話番号２２ｈとが連続して記憶され、かつ、関連付けられた情報が連続して記憶されるように図示したが、これは理解を容易にするためであって、これに限るものではない。
【００５７】
日時２２ｇは、伝言メモ履歴２２ｂに係る着信信号が受信された時刻を示す。なお、この日時２２ｇによって、伝言メモ履歴２２ｂは、一意に識別可能であるとする。発信元電話番号２２ｈは、日時２２ｇによって識別される伝言メモ履歴２２ｂに係る着信信号の契機となる発呼を行なった通信装置の電話番号である。発信元電話番号２２ｈには、電話番号が記憶されず、「非通知」又は「公衆電話」などの情報が記憶されることがある。
【００５８】
図６は、動作履歴情報記憶部２２に記憶される電子メール受信履歴２２ｃの構成の一例を示す。この電子メール受信履歴２２ｃは、日時２２ｉと、発信元電子メールアドレス２２ｊとが関連付けられた情報からなる。なお、図６では、日時２２ｉと、発信元電子メールアドレス２２ｊとが連続して記憶され、かつ、関連付けられた情報が連続して記憶されるように図示したが、これは理解を容易にするためであって、これに限るものではない。
【００５９】
日時２２ｉは、電子メール受信履歴２２ｃに係る受信メールが受信された時刻を示す。なお、この日時２２ｉは、電子メール送受信部２４の動作説明で述べた、電子メール送受信部２４内に記憶される受信メールが受信された時刻と同じものであって、日時２２ｉによって、電子メール受信履歴２２ｃが一意に識別可能である。
【００６０】
なお、日時２２ｉによって、電子メール受信履歴２２ｃが一意に識別不可能である場合、電子メール受信履歴２２ｃは、電子メール受信履歴２２ｃを一意に識別可能な識別情報が関連付けられる。
【００６１】
発信元電子メールアドレス２２ｊは、日時２２ｉによって識別される電子メール受信履歴２２ｃに係る受信メールの発信元メールアドレスである。なお、既に述べたように、受信メールの送信元メールアドレスは、電子メール送受信部２４内に記憶される。そこで、発信元電子メールアドレス２２ｊは、電子メール受信履歴２２ｃに含まれないとしても良い。含まれない場合、発信元電子メールアドレス２２ｊは、電子メール送受信部２４内に記憶された値を参照することによって得られる。この参照に際し、日時２２ｉによって、電子メール送受信部２４内に記憶された受信メールが識別される。
【００６２】
図７は、動作履歴情報記憶部２２に記憶される使用者依存動作２２ｄの構成の一例を示す。この使用者依存動作２２ｄは、動作種類２２ｋと、処理部２２ｍとが関連付けられた２組の情報からなる。なお、図７では、動作種類２２ｋと、処理部２２ｍとが連続して記憶され、かつ、関連付けられた２組の情報が連続して記憶されるように図示したが、これは理解を容易にするためであって、これに限るものではない。
【００６３】
動作種類２２ｋは、「使用者指定動作」及び「直前動作」のいずれか一方の値である。処理部２２ｍは、装置の処理部を識別する情報であって、図７では、「使用者指定動作」なる動作種類２２ｋと関連付けて測位部２６を、また、「直前動作」なる動作種類２２ｋと関連付けて放送受信部２５を例示した。
【００６４】
なお、「使用者指定動作」なる動作種類２２ｋと関連付けられた処理部２２ｍには、情報が設定されないことがあるが、装置の出荷時に所定の情報が設定されているとしても良い。更に、「直前動作」なる動作種類２２ｋと関連付けられた処理部２２ｍには、装置の出荷時には情報が設定されないが、装置の出荷時に所定の情報が設定されているとしても良い。
【００６５】
制御部１１が動作履歴情報記憶部２２に記憶される不在着信履歴２２ａと、伝言メモ履歴２２ｂと、電子メール受信履歴２２ｃと、使用者依存動作２２ｄとに値を設定する動作を説明する。
【００６６】
制御部１１は、不在着信が発生した場合、その不在着信に係る情報を不在着信履歴２２ａに記憶させる。即ち、不在着信となった通話着信信号が受信された時刻を日時２２ｅに、その着信信号に併せて移動通信網から通知された、その着信に係る発呼を行なった通信装置の電話番号を発信元電話番号２２ｆに設定した不在着信履歴２２ａを動作履歴情報記憶部２２に追加記憶させる。
【００６７】
なお、移動通信網からその通信に係る発呼を行なった通信装置の電話番号に関して通知されない場合、発信元電話番号２２ｆに「非通知」、また、その電話番号に関して公衆電話である旨が通知された場合、発信元電話番号２２ｆに「公衆電話」なる情報を設定する。
【００６８】
また、制御部１１は、入力装置１６の所定のキーが操作されると、動作履歴情報記憶部２２に不在着信履歴２２ａとして記憶された不在着信を識別する情報の一覧、例えば、日時２２ｅと、発信元電話番号２２ｆの一覧を表示部１５に表示させる。
【００６９】
そして、入力装置１６の所定のキー操作によって、制御部１１は、一覧表示された不在着信履歴２２ａの中の１つを選択し、選択された不在着信履歴２２ａの詳細、例えば、日時２２ｅと、発信元電話番号２２ｆと、その発信元電話番号２２ｆと関連付けられてアドレス帳（図示せず）に記憶された名前とを表示部１５に表示させる。更に、入力装置１６の所定のキー操作によって、その選択された不在着信履歴２２ａに係る発呼を行なった通信装置に発呼する。
【００７０】
また、制御部１１は、日時２２ｅを指定した開遷移時機能制御部２１からの指示によって、その日時２２ｅによって識別される不在着信履歴２２ａの詳細を表示部１５に表示させる。更に、開遷移時機能制御部２１からの指示によって、その不在着信履歴２２ａに係る発呼を行なった通信装置へ発呼する。
【００７１】
入力装置１６の所定のキーが操作されることに基づいたか、開遷移時機能制御部２１からの指示によったかを問わず、制御部１１は、詳細を表示部１５に表示させた不在着信履歴２２ａを動作履歴情報記憶部２２から削除させる。
【００７２】
制御部１１は、入力装置１６の所定のキー操作によって設定された伝言メモを記憶する旨が制御部１１内に記憶されており、かつ、通話着信信号が受信され、その着信に対して入力装置１６から応答操作がされないまま所定時間を経過した場合、伝言メモ処理部２３を動作させ、自動応答と、伝言メモの記憶、即ち、受話音声の記憶とをさせる。
【００７３】
更に、制御部１１は、伝言メモ処理部２３を動作させたことに係る情報を伝言メモ履歴２２ｂに記憶させる。即ち、上記着信信号が受信された時刻を日時２２ｇに、その着信に併せて移動通信網から通知された、その通信に係る発呼を行なった通信装置の電話番号を発信元電話番号２２ｈに設定した伝言メモ履歴２２ｂを動作履歴情報記憶部２２に追加記憶させる。
【００７４】
なお、移動通信網からその通信に係る発呼を行なった通信装置の電話番号に関して通知されない場合、発信元電話番号２２ｈに「非通知」、また、その電話番号に関して公衆電話である旨が通知された場合、発信元電話番号２２ｈに「公衆電話」なる情報を設定する。
【００７５】
ここで、上記所定時間が経過する前に着信信号に係る送信元の通信装置が発呼操作を終了した場合、制御部１１は、伝言メモ処理部２３を動作させず、上記着信は不在着信となる。また、伝言メモ処理部２３を動作させた場合の着信を不在着信としない。しかし、その着信を不在着信と扱い、その不在着信に係る情報を併せて不在着信履歴２２ａに記憶させても良い。
【００７６】
なぜなら、入力装置１６の操作によって応答操作がされなかったので、送信元の通信装置の使用者は、装置の使用者との通話を行えなかった。そこで、装置の使用者は、送信元の通信装置の使用者に対して、同様な対処、例えば、発呼して通話が必要となる可能性があり、装置は、同様な処理を行うことが適切なことがあるからである。
【００７７】
制御部１１は、電子メール着信信号が受信された場合、電子メール送受信部２４を動作させ、その電子メール着信信号に係る電子メールを受信させる。更に、電子メール送受信部２４を動作させたことに係る情報を電子メール受信履歴２２ｃに記憶させる。
【００７８】
即ち、電子メール送受信部２４によって受信メールが受信された時刻を日時２２ｉに、その受信メールのヘッダに含まれるそのメールの送信元メールアドレスを発信元電子メールアドレス２２ｊに設定した電子メール受信履歴２２ｃを動作履歴情報記憶部２２に追加記憶させる。ここで、複数の受信メールが受信された場合、複数の電子メール受信履歴２２ｃが追加記憶される。
【００７９】
制御部１１は、入力装置１６の所定のキー操作によって、装置の処理部の１つを記憶させる設定がされた場合、入力装置１６の所定のキー操作によって入力された、その処理部を識別する情報を、「使用者指定動作」なる動作種類２２ｋと関連付けられた処理部２２ｍとして使用者依存動作２２ｄに記憶させる。
【００８０】
なお、「使用者指定動作」なる動作種類２２ｋと関連付けられた処理部２２ｍとして記憶される処理部を識別する情報は、１つであって、処理部を識別される情報が再度入力された場合、再度入力された処理部を識別される情報を更新記憶させる。
【００８１】
制御部１１は、入力装置１６の所定のキー操作によって、入力装置１６の所定のキー操作に従って装置の処理部を動作させた場合、その動作させた処理部を識別する情報を記憶させる設定がされているなら、上記識別する情報を、「直前動作」なる動作種類２２ｋと関連付けられた処理部２２ｍとして使用者依存動作２２ｄに記憶させる。
【００８２】
なお、「直前動作」なる動作種類２２ｋと関連付けられた処理部２２ｍとして記憶される処理部を識別する情報は、１つであって、動作させた処理部を識別する情報を更新記憶させる。即ち、最後に動作させた処理部が記憶されることになる。
【００８３】
また、制御部１１は、開遷移時機能制御部２１の動作を介して装置の処理部を動作させた場合、その処理部を使用者依存動作２２ｄに記憶させない。なぜなら、開遷移時機能制御部２１の動作を介した場合、入力装置１６の所定のキー操作があるにせよ、装置の使用者の積極的な意思に従って動作させたとみなさないことが適切だからである。しかし、開遷移時機能制御部２１の動作を介したか否かを問わず、その処理部を使用者依存動作２２ｄに記憶させても良い。
【００８４】
装置が閉状態から開状態に変化した際の開遷移時機能制御部２１の所定の機能を容易に動作させる動作を説明する。図８は、開遷移時機能制御部２１の所定の機能を容易に動作させる動作のフローチャートを示す。開遷移時機能制御部２１は、上下筐体ＭＳ１、ＭＳ２が閉状態から開状態に変化したことを、開閉信号ＭＳ３ａを参照することによって検出した制御部１１によって起動されて、所定の機能を容易に動作させる動作を開始する（ステップＳ１０１）。
【００８５】
開遷移時機能制御部２１は、動作履歴情報記憶部２２に不在着信履歴２２ａが記憶されているか否かを調べる（ステップＳ１０２）。１つ記憶されている場合、制御部１１に指示して、その１つの不在着信履歴２２ａに係る詳細な情報を表示部１５に表示させる（ステップＳ１０３）。なお、この１つの不在着信履歴２２ａに係る詳細な情報を表示させたことにより、この不在着信履歴２２ａは、制御部１１によって動作履歴情報記憶部２２から削除される。
【００８６】
図９は、このステップＳ１０３の動作による詳細な情報の表示の一例を示す。この不在着信履歴表示１５ａは、表示部１５の中央部に大きく表示された「ＡＡさんより電話あり」、「０９０−１１１−１１１」及び「・年・月・日・時・分・秒」なる文字からなり、不在着信の表示であることを示している。
【００８７】
ここで、「０９０−１１１−１１１」及び「・年・月・日・時・分・秒」は、それぞれ不在着信履歴２２ａの発信元電話番号２２ｆと、日時２２ｅである。また、「ＡＡ」は、上記発信元電話番号２２ｆの「０９０−１１１−１１１」と関連付けられてアドレス帳に記憶された名前である。この名前は、アドレス帳に記憶されていない場合、表示されない。更に、上記発信元電話番号２２ｆに電話番号が記憶されていない場合、表示されない。
【００８８】
図８を参照した開遷移時機能制御部２１の動作説明に戻る。開遷移時機能制御部２１は、ステップＳ１０３の表示動作の後、入力装置１６の所定のキー、例えば、決定キー１６ａの操作がされたか否かを調べ（ステップＳ１０４）、操作がされた場合、制御部１１に指示して、ステップＳ１０３の動作によって表示された発信元電話番号２２ｆへ発呼、そして、相手方の通信装置との呼が接続された後、通話をさせて（ステップＳ１０５）、所定の機能を容易に動作させる動作を終了する（ステップＳ１０６）。ステップＳ１０５で、入力装置１６の１回のキー操作によって発呼され、装置の使用者は、容易に通話を行うことができる。
【００８９】
なお、ステップＳ１０３の表示動作と、ステップＳ１０５の発呼動作とは、制御部１１に指示するとしたが、開遷移時機能制御部２１が行っても良い。ステップＳ１０４で、入力装置１６の所定のキー操作が所定の時間に渡って行われない場合、開遷移時機能制御部２１は、所定の機能を容易に動作させる動作を終了する（ステップＳ１０６）。
【００９０】
ステップＳ１０２で、複数の不在着信履歴２２ａが動作履歴情報記憶部２２に記憶されている場合、開遷移時機能制御部２１は、複数の不在着信履歴２２ａに係る情報を表示部１５に一覧表示させる（ステップＳ１０７）。表示部１５に一時に表示される文字数は必ずしも多くはないため、この一覧表示は、簡明な表示である。
【００９１】
図１０は、このステップＳ１０７の動作による簡明な表示の一例を示し、図４に示す不在着信履歴２２ａが表示された例である。この不在着信履歴一覧表示１５ｂは、表示部１５のやや上部に「電話あり：」なる文字、その文字の下「ＡＡさん」、「・年・月・日・時・分・秒」、「・年・月・日・時・分・秒」、「０９０−２２２−２２２」及び「・年・月・日・時・分・秒」と列挙されている。
【００９２】
ここで、「ＡＡ」は、図９を参照して説明したように、アドレス帳に記憶された名前である。そして、表示「ＡＡさん」の下に、「・年・月・日・時・分・秒」が２行表示されていることによって、これらはそれぞれが日時２２ｅであり、「ＡＡさん」から発呼による２回の不在着信があったことが示されている。
【００９３】
このように不在着信履歴２２ａ毎の独立した表示としないことにより、簡明な不在着信履歴一覧表示１５ｂが得られるが、独立した表示としないことは、必須ではない。また、発信元電話番号２２ｆである「０９０−２２２−２２２」に関連付けられてアドレス帳に名前が記憶されていないので、この電話番号が表示されている。
【００９４】
なお、不在着信履歴一覧表示１５ｂに表示される不在着信履歴２２ａの表示順は、以下のいずれかの順、又は、以下の複数の順の組み合わせによる順である。第１に、日時２２ｅが近い過去のものを先に遠い過去のものを後に表示、遠い過去のものを先に近い過去のものを後に表示のいずれか一方である。第２に、発信元電話番号２２ｆがアドレス帳に記憶されている不在着信履歴２２ａを先に、記憶されていない不在着信履歴２２ａを後に表示である。
【００９５】
第３に、発信元電話番号２２ｆに関連付けられてアドレス帳に重要度が記憶されている場合、重要度が高い発信元電話番号２２ｆの不在着信履歴２２ａを先に、重要度が低い発信元電話番号２２ｆの不在着信履歴２２ａを後に表示である。ここで、重要度は、３以上の段階に分けられても良く、また、高低の２段階に分けられても良い。更に、重要度が高い電話番号に、その旨の情報が関連付けられ、重要度が低い電話番号には、重要度に関する情報が関連付けられていないとしても良い。
【００９６】
不在着信履歴一覧表示１５ｂ中の不在着信履歴２２ａの１つには、カーソルが置かれる。カーソルが置かれた不在着信履歴２２ａの、少なくとも、発信元電話番号２２ｆ、又は、発信元電話番号２２ｆに関連付けられてアドレス帳に記憶された名前は、カーソルが置かれたことが識別可能に表示される。図１０では、発信元電話番号２２ｆが「０９０−２２２−２２２」である不在着信履歴２２ａにカーソルが置かれていることを、この発信元電話番号２２ｆを含む不在着信履歴２２ａに係わる表示にハッチングを施すことにより示す。
【００９７】
カーソルが置かれる不在着信履歴２２ａは、入力装置１６の所定のキー操作、例えば、十字選択キー１６ｂの操作によって移動される。また、不在着信履歴一覧表示１５ｂとして表示されるべき情報が多く、表示部１５の表示画面に表示されない場合、入力装置１６の所定のキー操作、例えば、十字選択キー１６ｂの操作によって、不在着信履歴一覧表示１５ｂはスクロールされる。
【００９８】
図８を参照した開遷移時機能制御部２１の動作説明に戻る。開遷移時機能制御部２１は、ステップＳ１０７の一覧表示動作の後、入力装置１６の所定のキー操作、例えば、決定キー１６ａの操作によって、カーソルが置かれた不在着信履歴２２ａを選択し（ステップＳ１０８）、選択された不在着信履歴２２ａのみが動作履歴情報記憶部２２に記憶されているとして、ステップＳ１０３以降の動作に移る。このステップＳ１０３で表示される不在着信履歴表示１５ａには、複数の日時２２ｅが含まれることがある。
【００９９】
なお、ステップＳ１０７の動作及びステップＳ１０８の動作を介してステップＳ１０４で入力装置１６の所定のキー操作が所定の時間に渡って行われない場合、又は、所定のキー操作が行われた場合、開遷移時機能制御部２１は、ステップＳ１０７の複数の不在着信履歴２２ａに係る情報を表示部１５に一覧表示させる動作に移っても良い。
【０１００】
また、ステップＳ１０７の動作及びステップＳ１０８の動作に代えて、開遷移時機能制御部２１は、複数の不在着信履歴２２ａの中の１つを選択し、ステップＳ１０３の表示以降の動作に移っても良い。選択の基準は、例えば、既にステップＳ１０７の動作説明の際に述べた、不在着信履歴一覧表示１５ｂに表示される不在着信履歴２２ａの表示順で、最も先に表示されるものである。
【０１０１】
更に、複数の不在着信履歴２２ａの発信元電話番号２２ｆが全て同じ場合に限り、開遷移時機能制御部２１は、ステップＳ１０７の動作及びステップＳ１０８の動作を行なわずに、ステップＳ１０３以降の動作に移っても良い。この場合、選択され得る、そして、ステップＳ１０３で表示される発信元電話番号２２ｆが１つであり、表示される発信元電話番号２２ｆを選択する自由度はない。
【０１０２】
ステップＳ１０２で、不在着信履歴２２ａが動作履歴情報記憶部２２に記憶されていない場合、開遷移時機能制御部２１は、動作履歴情報記憶部２２に記憶された伝言メモ履歴２２ｂ、電子メール受信履歴２２ｃ及び使用者依存動作２２ｄに係わる情報を表示部１５に表示され、表示された情報に係わる情報の１つを選択し、選択された情報に対応する動作をさせ（ステップＳ１０９）、所定の機能を容易に動作させる動作を終了する（ステップＳ１０６）。ステップＳ１０９の動作は、後述する。
【０１０３】
なお、ステップＳ１０２で、不在着信履歴２２ａ、伝言メモ履歴２２ｂ、電子メール受信履歴２２ｃ及び使用者依存動作２２ｄのいずれも動作履歴情報記憶部２２に記憶されていない場合、開遷移時機能制御部２１は、直ちに所定の機能を容易に動作させる動作を終了する（図示せず）。
【０１０４】
なお、開遷移時機能制御部２１は、入力装置１６の所定のキー操作に基づいて、任意の動作ステップで動作を終了する（図示せず）。なお、この動作終了に伴い、制御部１１によって表示部１５には、待ち受け画面が表示される。ただし、他の機能が動作中、例えば、ステップＳ１０５で通話が動作中には、動作中の他の機能の動作終了の後、開遷移時機能制御部２１は、動作を終了する。
【０１０５】
開遷移時機能制御部２１のステップＳ１０９の動作を説明する。図１１は、開遷移時機能制御部２１のステップＳ１０９の動作のフローチャートを示す。開遷移時機能制御部２１は、ステップＳ１０９の動作を開始し（ステップＳ２０１）、動作履歴情報記憶部２２に記憶された伝言メモ履歴２２ｂ、電子メール受信履歴２２ｃ及び使用者依存動作２２ｄに係わる全ての情報を表示部１５に一覧表示させる（ステップＳ２０２）。
【０１０６】
この一覧表示は、図１０を参照して説明した不在着信履歴２２ａの一覧表示、即ち、不在着信履歴表示１５ａに類似している。そこで、不在着信履歴２２ａの一覧表示と対比しつつ説明し、同じ説明を繰り返さない。また、動作履歴情報記憶部２２に記憶された１つ又は複数の伝言メモ履歴２２ｂ、１つ又は複数の電子メール受信履歴２２ｃ、及び、１つ又は複数の使用者依存動作２２ｄのいずれか１つにカーソルが置かれるが、カーソルの移動及びカーソルが置かれた項目の表示に関しては、不在着信履歴一覧表示１５ｂで説明した通りであり、説明を省略する。
【０１０７】
図１２は、このステップＳ２０２の動作の際、動作履歴情報記憶部２２に図５に例示した伝言メモ履歴２２ｂが記憶されている場合の一覧表示の一例を示す。この伝言メモ履歴一覧表示１５ｃは、不在着信履歴一覧表示１５ｂと比較して、「電話あり：」なる文字に代えて「伝言メモあり：」なる文字の表示によって、伝言メモ履歴２２ｂの一覧表示であることを示す。
【０１０８】
その他の表示は、不在着信履歴一覧表示１５ｂと比較して、日時２２ｅに代えて日時２２ｇが表示されている。また、発信元電話番号２２ｆ又は発信元電話番号２２ｆと関連付けられてアドレス帳に記憶された名前の表示に代えて、発信元電話番号２２ｈ又は発信元電話番号２２ｈと関連付けられてアドレス帳に記憶された名前が表示されている。
【０１０９】
図１３は、このステップＳ２０２の動作の際、動作履歴情報記憶部２２に図６に例示した電子メール受信履歴２２ｃが記憶されている場合の一覧表示の一例を示す。この電子メール受信履歴一覧表示１５ｄは、不在着信履歴一覧表示１５ｂと比較して、「電話あり：」なる文字に代えて「未読メール：」なる文字の表示によって、電子メール受信履歴２２ｃの一覧表示であることを示す。
【０１１０】
その他の表示は、不在着信履歴一覧表示１５ｂと比較して、日時２２ｅに代えて日時２２ｉが表示されている。また、発信元電話番号２２ｆ又は発信元電話番号２２ｆと関連付けられてアドレス帳に記憶された名前の表示に代えて、発信元電子メールアドレス２２ｊ又は発信元電子メールアドレス２２ｊと関連付けられてアドレス帳に記憶された名前が表示されている。ここで、電子メールアドレス「ａａａ＠ａａａ．ａａ」と、名前「ＰＰ」とが関連付けられてアドレス帳に記憶されている。
【０１１１】
図１４は、このステップＳ２０２の動作の際、動作履歴情報記憶部２２に図７に例示した使用者依存動作２２ｄが記憶されている場合の一覧表示の一例を示す。この使用者依存動作一覧表示１５ｅは、「指定動作：」に続いて、「使用者指定動作」なる動作種類２２ｋと関連付けられた処理部２２ｍである「測位部」が表示されている。更に、「直前動作：」に続いて、「直前動作」なる動作種類２２ｋと関連付けられた処理部２２ｍである「放送受信部」が表示されている。
【０１１２】
ステップＳ２０２の動作では、上記図１２〜図１４を参照して説明した、伝言メモ履歴一覧表示１５ｃ、電子メール受信履歴一覧表示１５ｄ及び使用者依存動作一覧表示１５ｅが表示される。これらの３つの表示は、以下のいずれかの方法のいずれか、又は、組合せにより表示される。
【０１１３】
第１に、上記３つの一覧表示を連結した一覧表示を表示部１５に表示させる。連結された一覧表示は、多くの情報を含み、表示部１５の表示画面には一時に表示されない可能性がある。そこで、十字選択キー１６ｂの操作によって、スクロールさせる。なお、表示の初期状態では、連結された一覧表示の冒頭が表示され、かつ、その冒頭にカーソルが置かれる。
【０１１４】
なお、連結の順は、伝言メモ履歴一覧表示１５ｃ、電子メール受信履歴一覧表示１５ｄ、使用者依存動作一覧表示１５ｅの順、又は、電子メール受信履歴一覧表示１５ｄ、伝言メモ履歴一覧表示１５ｃ、使用者依存動作一覧表示１５ｅの順が適切であって、この２つの順のいずれかが設定されている。又は、入力装置１６の所定のキー操作に従ってこの２つの順のいずれかが設定される。
【０１１５】
なぜなら、伝言メモ履歴２２ｂ及び電子メール受信履歴２２ｃは、それぞれ発呼した者、又は、受信メールを送信した者の意思に起因して記憶された情報であり、それらの者が装置の使用者へ伝えたい情報を含んでいる。そこで、装置の使用者がその情報に応じた動作、例えば、発呼や、返信の電子メールの送信を早く行なうことを促すべく、その情報を容易に視認できるように表示させることが適切だからである。
【０１１６】
しかし、上記説明した順に限るものではなく、使用者依存動作一覧表示１５ｅが先に表示されるとしても良い。この順は、装置が、もっぱら使用者依存動作２２ｄの処理部２２ｍの動作を行なうために使用される場合、適切である。
【０１１７】
第２に、伝言メモ履歴一覧表示１５ｃ、電子メール受信履歴一覧表示１５ｄ及び使用者依存動作一覧表示１５ｅのそれぞれを識別する３つの要素からなるメニューを表示させる。そして、３つの要素の中のいずれかを入力装置１６の所定のキー操作により選択する。選択された要素に対応する、上記３つの一覧表示の中の１つを表示させる。
【０１１８】
なお、伝言メモ履歴２２ｂが記憶されていないなら、伝言メモ履歴一覧表示１５ｃの表示に意味はない。また、電子メール受信履歴２２ｃが記憶されていないなら、電子メール受信履歴一覧表示１５ｄに意味はない。更に、使用者依存動作２２ｄが記憶されていないなら、使用者依存動作一覧表示１５ｅに意味はない。
【０１１９】
そこで、意味がない一覧表示を識別するメニュー要素は、メニューから除く。なお、メニュー要素を除いた結果、メニュー要素が１つであれば、メニューを表示させることなく、その１つのメニュー要素が選択されたとしても良い。
【０１２０】
第３に、伝言メモ履歴一覧表示１５ｃ及び電子メール受信履歴一覧表示１５ｄを合わせて（マージして）、所定の順で表示する。表示の順は、既にステップＳ１０７の動作説明の際に述べた、不在着信履歴一覧表示１５ｂに表示される不在着信履歴２２ａの表示順に準じる。
【０１２１】
次に、開遷移時機能制御部２１は、伝言メモ履歴一覧表示１５ｃに含まれる１つ又は複数の項目、電子メール受信履歴一覧表示１５ｄに含まれる１つ又は複数の項目、及び、使用者依存動作一覧表示１５ｅに含まれる１つ又は複数の項目の中の１つの項目を、入力装置１６の所定のキー操作によって選択する（ステップＳ２０３）。
【０１２２】
この選択は、動作履歴情報記憶部２２に記憶された１つ又は複数の伝言メモ履歴２２ｂ、１つ又は複数の電子メール受信履歴２２ｃ、及び、１つ又は複数の使用者依存動作２２ｄのいずれか１つを選択することに対応する。なお、表示された項目が１つである場合、その項目が選択されたとしても良い。
【０１２３】
選択された項目を調べ（ステップＳ２０４）、選択された項目が伝言メモ履歴一覧表示１５ｃに含まれる項目であれば、開遷移時機能制御部２１は、選択された項目に対応する伝言メモ履歴２２ｂの日時２２ｇを指定して、伝言メモ履歴一覧表示１５ｃに含まれる全ての項目に対応する伝言メモを指定して、又は、全ての伝言メモを指定して、伝言メモ処理部２３を動作させ、伝言メモを音声発生させ（ステップＳ２０５）、ステップＳ２０２の表示部１５に一覧表示させる動作に移る。
【０１２４】
なお、伝言メモ処理部２３を動作させることにより、伝言メモ処理部２３によって音声出力がされた伝言メモに対応する伝言メモ履歴２２ｂは、伝言メモ処理部２３によって動作履歴情報記憶部２２から削除される。
【０１２５】
選択された項目が電子メール受信履歴一覧表示１５ｄに含まれる項目であれば、開遷移時機能制御部２１は、選択された項目に対応する電子メール受信履歴２２ｃの日時２２ｉを指定して、電子メール受信履歴２２ｃに含まれる全ての項目に対応する受信メールを指定して、又は、全ての受信メールを指定して、電子メール送受信部２４を動作させ、受信メールを表示部１５に表示させ（ステップＳ２０６）、ステップＳ２０２の表示部１５に一覧表示させる動作に移る。
【０１２６】
なお、電子メール送受信部２４を動作させることにより、電子メール送受信部２４によって所定の表示がされた受信メールに対応する電子メール受信履歴２２ｃは、電子メール送受信部２４によって動作履歴情報記憶部２２から削除される。
【０１２７】
選択された項目が使用者依存動作一覧表示１５ｅに含まれる項目であれば、開遷移時機能制御部２１は、選択された項目で識別させる処理部２２ｍを動作させることを制御部１１に指示して（ステップＳ２０７）、ステップＳ１０９の動作を終了する（ステップＳ２０８）。なお、使用者依存動作一覧表示１５ｅのみが表示され、かつ、使用者依存動作一覧表示１５ｅに含まれる項目が１つであれば、開遷移時機能制御部２１は、入力装置１６の所定のキー操作による選択なしに、使用者依存動作一覧表示１５ｅに含まれる項目で識別させる処理部２２ｍを動作させることを制御部１１に指示する。
【０１２８】
なお、開遷移時機能制御部２１は、ステップＳ１０９の動作中においても、入力装置１６の所定のキー操作に基づいて、任意の動作ステップで動作を終了する（図示せず）。なお、この動作終了に伴い、表示部１５には、制御部１１によって待ち受け画面が表示される。ただし、ステップＳ２０５で伝言メモ処理部２３が動作中、又は、ステップＳ２０６で電子メール送受信部２４が動作中である場合、それらの動作中の処理部の動作終了の後、開遷移時機能制御部２１は、動作を終了する。
【０１２９】
上記説明した動作によれば、開遷移時機能制御部２１は、動作開始後、直ちにステップＳ１０２で不在着信履歴２２ａが記憶されているか否かを調べ、記憶されている場合、更に、１つ記憶されているか、複数記憶されているかによって、異なる動作をする。このように、不在着信履歴２２ａを、伝言メモ履歴２２ｂ及び電子メール受信履歴２２ｃと比較して重視し、特別な扱いをする理由は、装置の使用者は、特に、不在着信履歴２２ａに対して、素早い対応が必要と考えられるからである。
【０１３０】
しかし、重視されるものは、不在着信履歴２２ａに限るものではなく、伝言メモ履歴２２ｂでも良く、また、電子メール受信履歴２２ｃでも良い。また、これらの３つに重要度の順位を付し、重要度の順位がより高く、かつ、動作履歴情報記憶部２２に記憶されているものを特別な扱いをするとしても良い。更に、いずれも特別な扱いをしないとしても良い。
【０１３１】
なお、使用者依存動作２２ｄは、装置の使用者以外の者の操作に依存しない情報であり、装置の使用者以外の者に対して迅速な対応が必要とは考えられないので、特別な扱いをしない。しかし、装置は、使用者依存動作２２ｄの処理部２２ｍの動作をもっぱら行なうために使用される場合、使用者依存動作２２ｄは、特別な扱いをされるとして良い。いずれを特別な扱いとするかは、動作履歴情報記憶部２２内に設定されている。又は、入力装置１６の所定のキー操作によって設定される。
【０１３２】
特別な扱いをされるものが伝言メモ履歴２２ｂである場合、ステップＳ１０３で表示部１５に表示される情報の一例は、図９を参照して説明した、特別な扱いをされるものが不在着信履歴２２ａである場合にステップＳ１０３で表示部１５に表示される情報の一例と略同じであり、「ＡＡさんより電話あり」に代えて「ＡＡさんより伝言メモあり」と表示される。これは、図１２に例示した伝言メモ履歴一覧表示１５ｃに含まれる２つの項目のうち、下の項目が選択された場合の例である。
【０１３３】
特別な扱いをされるものが電子メール受信履歴２２ｃである場合、ステップＳ１０３で表示部１５に表示される情報は、図９を参照して説明した一例と略同じであり、「ＡＡさんより電話あり」に代えて「ＰＰさんからの未読メールあり」、「０９０−１１１−１１１」に代えて「ａａａ＠ａａａ．ａa」が表示される。これは、図１３に例示した電子メール受信履歴一覧表示１５ｄに含まれる２つの項目のうち、上の項目が選択された場合の例である。
【０１３４】
開遷移時機能制御部２１は、装置が閉状態から開状態に変化した際、上記動作をするとしたが、この動作の際に参照する不在着信履歴２２ａ、伝言メモ履歴２２ｂ、電子メール受信履歴２２ｃは、直前の閉状態の際に追加記憶された情報に限るものではない。これらの履歴が如何なる動作を契機として削除されるかは、既に説明した通りであり、これらの履歴が削除されていない限り、開遷移時機能制御部２１は、これらの履歴が記憶された時刻を問わず、参照して動作する。
【０１３５】
以上の説明では、開遷移時機能制御部２１は、装置が閉状態から開状態に変化した際、動作を開始するとしたが、これに限るものではない。例えば、装置が開状態にある際に、不在着信履歴２２ａが記憶された、伝言メモ履歴２２ｂが記憶された、又は、電子メール受信履歴２２ｃが記憶された場合、開遷移時機能制御部２１は、動作を開始するとしても良い。
【０１３６】
以上の説明は、本発明を移動通信装置に適用した形態を例にとって行ったが、本発明は、携帯型であるか、固定型であるかを問わず、通信を行うあらゆる装置、例えば、パソコンに適用することが当然に可能である。ここで、通信とは、通話通信や、電子メールの送受信に限るものではない。
【０１３７】
例えば、装置は、コンテンツサーバ装置（図示せず）から送信されたダウンロード許可の情報を受信し、この許可の受信の後、装置の使用者は、入力装置１６の所定のキー操作によって、所定のコンテンツのダウンロードをコンテンツサーバ装置に要求する場合である。ここで、コンテンツのダウンロードは、例えば、ブラウザによる通信によって行われる。本発明は以上の構成に限定されるものではなく、種々の変形が可能である。
【図面の簡単な説明】
【０１３８】
【図１】本発明の実施形態に係る開閉自在の折畳み型移動通信装置の上下筐体を開いた際の外観図。
【図２】本発明の実施形態に係る開閉自在の折畳み型移動通信装置の上下筐体を閉じた際の外観図。
【図３】本発明の実施形態に係る移動通信装置の構成を示すブロック図。
【図４】本発明の実施形態に係る移動通信装置の不在着信履歴の構成の一例を示す図。
【図５】本発明の実施形態に係る移動通信装置の伝言メモ履歴の構成の一例を示す図。
【図６】本発明の実施形態に係る移動通信装置の電子メール受信履歴の構成の一例を示す図。
【図７】本発明の実施形態に係る移動通信装置の使用者依存動作の構成の一例を示す図。
【図８】本発明の実施形態に係る移動通信装置の開遷移時機能制御部の所定の機能を容易に動作させる動作のフローチャート（その１）。
【図９】本発明の実施形態に係る移動通信装置の表示部に表示される不在着信履歴表示の一例を示す図。
【図１０】本発明の実施形態に係る移動通信装置の表示部に表示される不在着信履歴一覧表示の一例を示す図。
【図１１】本発明の実施形態に係る移動通信装置の開遷移時機能制御部の所定の機能を容易に動作させる動作のフローチャート（その２）。
【図１２】本発明の実施形態に係る移動通信装置の表示部に表示される伝言メモ履歴一覧表示の一例を示す図。
【図１３】本発明の実施形態に係る移動通信装置の表示部に表示される電子メール受信履歴一覧表示の一例を示す図。
【図１４】本発明の実施形態に係る移動通信装置の表示部に表示される使用者依存動作一覧表示の一例を示す図。
【符号の説明】
【０１３９】
ＭＳ１  上筐体
ＭＳ２  下筐体
ＭＳ３  ヒンジ部
ＭＳ３ａ  開閉信号
１１  制御部
１３  送受信部
１５  表示部
１５ａ  不在着信履歴表示
１５ｂ  不在着信履歴一覧表示
１５ｃ  伝言メモ履歴一覧表示
１５ｄ  電子メール受信履歴一覧表示
１５ｅ  使用者依存動作一覧表示
１６  入力装置
２１  開遷移時機能制御部
２２  動作履歴情報記憶部
２２ａ  不在着信履歴
２２ｂ  伝言メモ履歴
２２ｃ  電子メール受信履歴
２２ｄ  使用者依存動作
２２ｅ、２２ｇ、２２ｉ  日時
２２ｆ、２２ｈ  発信元電話番号
２２ｊ  発信元電子メールアドレス
２２ｋ  動作種類
２２ｍ  処理部
２３  伝言メモ処理部
２４  電子メール送受信部
【図１】
2010087916.tif 000003
【図２】
2010087916.tif 000004
【図３】
2010087916.tif 000005
【図４】
2010087916.tif 000006
【図５】
2010087916.tif 000007
【図６】
2010087916.tif 000008
【図７】
2010087916.tif 000009
【図８】
2010087916.tif 000010
【図９】
2010087916.tif 000011
【図１０】
2010087916.tif 000012
【図１１】
2010087916.tif 000013
【図１２】
2010087916.tif 000014
【図１３】
2010087916.tif 000015
【図１４】
2010087916.tif 000016